(57)【要約】      （修正有）【課題】軽量で嵩張らず、携帯や持ち運びに便利な空気枕によって、断面外形が三角形をなす健康美容用に適した三角枕を実現する。【解決手段】空気枕の本体をなす空気袋１が、枕の中央部を形成する筒形シート２と、枕の左右端面部を形成する三角形シート３とからなり、空気袋を膨らませたときに筒形シートが三側面Ｔａ、Ｔｂ、Ｔｃを有した角部が丸い三角筒Ｔの形状となるように三側面の外方への膨らみを規制する規制部材８が、空気袋の内部に設けられている。規則部材は、隣接する三側面同志が互いに引っ張りあうように三側面に溶着された熱可塑性シート８Ａ、８Ｂからなる。【選択図】図２
0003192339.tif 000002
【実用新案登録請求の範囲】
【請求項１】
枕本体が空気注入口から空気を注入して膨らます空気袋で形成された空気枕において、前記空気袋が、枕の中央部を形成する熱可塑性の筒形シートと、該筒形シートの両端に溶着されて枕の左右端面部を形成する熱可塑性の三角形シートとからなり、前記空気袋を膨らませたときに前記筒形シートが前記三角形シートの三辺に連なる三側面を有した角部が丸い三角筒の形状となるように、前記筒形シートの内側面に、前記三角筒の隣接する側面同士を互いに引っ張り合わせて前記三側面の外方への膨らみを規制する規制部材が設けられ、該規制部材が、前記三側面の隣接する側面間に溶着された熱可塑性シートからなることを特徴とする空気枕。
【請求項２】
前記三角形シートの形状が、高さの辺に比べて底辺が長い角丸直角三角形に形成され、前記規制部材が、両端部が前記三角形シートの底辺と斜辺との間の角部に近い位置で前記底辺と斜辺に連なる前記三角筒の二側面に溶着された第一の熱可塑性シートと、中間部が前記三角形シートの高さの辺に近い位置で該三角形シートの底辺に連なる前記三角筒の側面に溶着されると共に、両端部が前記三角形シートの高さの辺と斜辺に連なる前記三角筒の二側面に夫々溶着された第二の熱可塑性シートとからなる請求項２記載の空気枕。
【請求項３】
前記筒形シートと前記三角形シートが、不透明な熱可塑性シートからなり、前記筒形シートの表面にパイル起毛加工が施されている請求項１又は２記載の空気枕。
【考案の詳細な説明】
【技術分野】
【０００１】
本考案は、枕本体が空気注入口から空気を注入して膨らます空気袋で形成された空気枕に係り、特に、健康や美容のためのエクササイズに使用する健康美容用の枕として好適な空気枕に関する。
【背景技術】
【０００２】
健康や美容のためのエクササイズなどに使用する健康美容用の枕として、一般的に三角枕と呼称される断面形状／断面外形が三角形の枕が知られており、この三角枕は、その上に頭や首、肩、背中、腰、脚などを載せて、身体の各部位をほぐして凝りや疲れをとり、背骨や骨盤の歪みを矯正し、腰痛を和らげ、胸部や腹部、脚部などをシェイプアップし、あるいは体力を維持・強化するなどの様々な使い方がされている。
【０００３】
三角枕の考案としては、例えば、木や金属、陶器・磁器等の剛体によって断面外形が角丸三角形に形成された枕が提案されており（特許文献１）、この枕は、丸みのある角の部分を頸椎に当てて、頭を上下左右に動かすなどすれば、頭痛や、首、肩、背中の凝りなどに効果があるというものであるが、木や金属等の硬い剛体からなるため、角の部分に丸みがあっても、その角の部分に頸椎を当てて頭を上下左右に動かすと、強い痛みを生じたり、頚椎を損傷するおそれがある。
【０００４】
また、籐で編まれた断面外形が三角形の足枕が提案されており（特許文献２）、この足枕は、就寝時に脚の膝裏に当てて、膝を適正な高さに折り曲げることにより、安眠できるというものであるが、硬い籐で編まれているため、脚の膝裏に長時間当てると、その膝裏に痛みを生じるおそれがある。
【０００５】
また、枕本体が硬質ウレタンで形成されて、その上面に低反発ウレタンや軟質ウレタン、柔軟性合成ゴム等からなる柔軟シートが設けられた断面形状が直角三角形の腰枕が提案されており（特許文献３）、この腰枕は、就寝中に骨盤部を載せて、脊椎の配列を改善し、腰痛を緩和することができるというものであるが、腰痛症状等の軽重に応じて枕の硬さを調整することができない。
【０００６】
また、表面が皮、擬革あるいは布等からなり、内部に柔軟性のあるスポンジ等が充填された三角枕が提案されており（特許文献４）、この三角枕は、整体治療用補助具として背柱や骨盤の矯正等に使用されるものであるが、整体治療を受ける患者の症状に応じて枕の硬さを調整することができず、また、内部に充填されたスポンジ等が柔軟すぎると、背中や腰を載せたときに押し潰されて三角枕の形状を喪失し、三角枕としての効果・効能を発揮し得ないものとなってしまう。
【０００７】
また、特許文献１−４に記載された三角枕は、それなりに重くて嵩張るため、携帯や持ち運びに不便であるから、旅行先や出張先などに持参して健康・美容のためのエクササイズや整体治療等に使用することが困難であり、また、三角枕を使用した健康法・美容法を教授するセミナーを開催する場合は、セミナーの参加者全員が使用する個数分の三角枕を準備・用意するための労力負担が大きいという問題があった。
【０００８】
なお、空気枕としては、椅子に座った時に椅子の背もたれと背中・腰との間に生ずる三角形状の隙間の空間部分を埋めて、腰にかかる負担を緩和し、長時間座っていても腰部の疲労を最小限に抑えるようにする腰枕（クッション）が提案されており（特許文献５）、この腰枕は、合成樹脂、ゴム、布等の単層又は多層のフィルムで作られた空気袋からなる腰枕本体に設けられている空気取り出し・入れ口にストローを挿入して空気を入れ、腰に当てがってみて、入れた空気量が多すぎた場合は、空気取り出し・入れ口に再度スローを挿入し、空気を抜いて空気量を調整することができるというものである。
【０００９】
すなわち、特許文献５に記載の腰枕は、その本体となる空気袋に入れる空気量を調整することによって硬さを調整することができ、また、軽量で、使用しないときは空気を抜いて嵩張らない状態とすることができるから、旅行や出張に携帯して、列車や飛行機などの座席で使用することも可能である。
【００１０】
しかしながら、特許文献５に記載の腰枕は、椅子に座って体重が掛かったときに椅子の背もたれと背中・腰との間に生ずる三角形状の隙間の空間部分を埋めるように押圧変形する空気枕であって、空気を注入して膨らませたときに断面外形ないし横から見た形状が三角形をなす三角枕の形状となる空気枕ではない。
【００１１】
また、一般に、空気を注入して膨らます空気袋は、注入した空気の圧力が空気袋の全面に均等に加わって、その全面が外方へ膨らむため、空気袋の袋形状を如何様に工夫しても、断面外形ないし横から見た形状が三角形をなした三角枕の形状に膨らむ空気袋とすることはできないから、空気枕からなる三角枕は未だ実現されていない。
【先行技術文献】
【特許文献】
【００１２】
【特許文献１】特開平６−２６９３４４号公報
【特許文献２】特開２００２−１７２０４３号公報
【特許文献３】特開２０１０−１２５０７０号公報
【特許文献４】特開２００２−３４５８６３号公報
【特許文献５】実用新案登録第３０１４８０２号公報
【考案の概要】
【考案が解決しようとする課題】
【００１３】
本考案は、軽量で嵩張らず、携帯や持ち運びに便利な空気枕からなる三角枕を実現することを技術的課題としている。
【課題を解決するための手段】
【００１４】
上記課題を解決するために、本考案は、枕本体が空気注入口から空気を注入して膨らます空気袋で形成された空気枕において、前記空気袋が、枕の中央部を形成する熱可塑性の筒形シートと、該筒形シートの両端に溶着されて枕の左右端面部を形成する熱可塑性の三角形シートとからなり、前記空気袋を膨らませたときに前記筒形シートが前記三角形シートの三辺に連なる三側面を有した角部が丸い三角筒の形状となるように、前記筒形シートの内側面に、前記三角筒の隣接する側面同士を互いに引っ張り合わせて前記三側面の外方への膨らみを規制する規制部材が設けられ、該規制部材が、前記三側面の隣接する側面間に溶着された熱可塑性シートからなることを特徴とする。
【考案の効果】
【００１５】
本考案に係る空気枕は、その本体を形成する空気袋に空気を注入してこれを膨らますと、枕の中央部が角丸三角筒の形状をなし、枕の左右端面部が三角形をなした三角枕となり、空気袋から空気を抜くと、扁平に潰れた状態となる。したがって、本考案は、軽量で嵩張らず、携帯や持ち運びに便利な空気枕からなる三角枕を実現することができるという大変優れた効果がある。
【００１６】
また、本考案に係る空気枕は、その各部位が熱可塑性のシートで形成され、該シートを溶着する加工のみで完成する簡易な構成となっているから、製造コストを低く抑えることができる。したがって、本考案は、空気枕からなる三角枕を安価に提供することができるという効果がある。
【図面の簡単な説明】
【００１７】
【図１】本考案の実施例に係る空気枕の外観を示す斜視図
【図２】本考案の実施例に係る空気枕の内部構造を示す斜視図
【考案を実施するための形態】
【００１８】
本考案の実施形態に係る空気枕は、その本体を形成する空気袋が、枕の中央部を形成する熱可塑性の筒形シートと、該筒形シートの両端に溶着されて枕の左右端面部を形成する熱可塑性の三角形シートとからなり、該三角形シートの一方に、空気袋の内部に空気を注入するための空気注入口が取り付けられている。
【００１９】
そして、前記筒形シートの内側面には、空気袋を膨らませたときにその筒形シートが前記三角形シートの三辺に連なる三側面を有した角部が丸い三角筒の形状となるように、前記三角筒の隣接する側面同士を互いに引っ張り合わせて前記三側面の外方への膨らみを規制する規制部材が設けられ、該規制部材は、前記三側面の隣接する側面間に溶着された熱可塑性シートで形成されている。
【００２０】
枕の左右端面部を形成する前記三角形シートの形状は、高さの辺に比べて底辺が長い角丸直角三角形に形成されており、前記規制部材は、両端部が前記三角形シートの底辺と斜辺との間の角部に近い位置で前記底辺と斜辺に連なる前記三角筒の二側面に溶着された第一の熱可塑性シートと、中間部が前記三角形シートの高さの辺に近い位置で該三角形シートの底辺に連なる前記三角筒の側面に溶着されると共に、両端部が前記三角形シートの高さの辺と斜辺に連なる前記三角筒の二側面に夫々溶着された第二の熱可塑性シートとで形成されている。
【００２１】
また、空気枕の内部に設けられた前記規制部材が外部から透けて見えないようにするために、空気枕の中央部と左右端面部を形成する前記筒形シートと前記三角形シートは、不透明な熱可塑性シートからなり、前記筒形シートの表面には、その表面の肌触りを良くするために、パイル起毛加工が施されている。
【実施例】
【００２２】
図１及び図２に示す本考案の実施例に係る空気枕は、その本体をなす空気袋１が、枕の中央部を形成する筒形シート２と、該筒形シート２の両端に溶着されて枕の左右端面部を形成する一対の三角形シート３、３とからなり、一方の三角形シート３には、空気袋１の内部に空気を注入するための空気注入口４が取り付けられている。
【００２３】
筒形シート２と三角形シート３は、軟質ポリ塩化ビニル樹脂(PVC)、エチレン酢酸ビニル樹脂(EVA)等の熱可塑性樹脂もしくは熱可塑性エラストマー(TPE)からなる不透明なオレンジ色の熱可塑性シートで形成されており、筒形シート２の表面には、数万ボルトの直流高電圧を印加した高圧静電界における静電吸引力で、予め接着剤を塗布した熱可塑性シートの表面にパイル（短繊維）を垂直に投錨させる静電植毛によって、アクリル系やポリエステル系等の超短繊維からなるミクロンオーダーのパイル５を起毛させたパイル起毛加工が施されている。また、三角形シート３の形状は、高さの辺３ａに比べて底辺３ｂが長い角丸直角三角形に形成されている。
【００２４】
空気注入口４は、三角形シート３に溶着して取り付ける透明な軟質塩化ビニルチューブ６の基端部側に逆止弁（図示せず）が形成され、該チューブ６の先端部側にその先端部を気密に閉塞する栓７が形成された構成となっている。
【００２５】
そして、空気注入口４から空気を注入して空気袋１を膨らませたときに、枕の中央部を形成する筒形シート２が、枕の左右端面部を形成する三角形シート３、３の高さの辺３ａ、底辺３ｂ及び斜辺３ｃに夫々連なる三側面Ｔａ、Ｔｂ及びＴｃを有した角部が丸い三角筒Ｔの形状となるように、三角筒Ｔの隣接する側面Ｔａ、Ｔｂ同士と側面Ｔｂ、Ｔｃ同士を互いに引っ張り合わせて三側面Ｔａ、Ｔｂ及びＴｃの外方への膨らみを規制する規制部材８が筒形シート２の内側面に設けられている。
【００２６】
規制部材８は、筒形シート２からなる三角筒Ｔの三側面Ｔａ、Ｔｂ及びＴｃの隣接する側面間に溶着された第一の熱可塑性シート８Ａと第二の熱可塑性シート８Ｂとからなり、第一の熱可塑性シート８Ａは、その両端部Ａ１、Ａ２が、三角形シート３の底辺３ｂと斜辺３ｃとの間の角部に近い位置で底辺３ｂと斜辺３ｃに連なる三角筒Ｔの二側面Ｔｂ、Ｔｃに溶着されている。また、第二の熱可塑性シート８Ｂは、その中間部Ｂ３が、三角形シート３の高さの辺３ａに近い位置で底辺３ｂに連なる三角筒Ｔの側面Ｔｂに溶着されると共に、その両端部Ｂ１、Ｂ２が、三角形シート３の斜辺３ｃと高さの辺３ａに連なる三角筒Ｔの二側面Ｔｃ、Ｔａに夫々溶着された構成となっている。
【００２７】
すなわち、高さの辺３ａに比べて底辺３ｂが長い角丸直角三角形の形状をなす三角形シート３の底辺３ｂと斜辺３ｃに連なる三角筒Ｔの二側面Ｔｂ、Ｔｃは、三角形シート３の高さの辺３ａに連なる三角筒Ｔの側面Ｔａに比べて幅広であるから、その幅広な二側面Ｔｂ、Ｔｃを第一の熱可塑性シート８Ａと第二の熱可塑性シート８Ｂとにより前後二か所で互いに引っ張り合わせて、側面Ｔｂ、Ｔｃの外方への膨らみを規制し、三角形シート３の高さの辺３ａに連なる三角筒Ｔの側面Ｔａは、比較的幅狭であるから、その側面Ｔａの中央箇所と側面Ｔｂとを第二の熱可塑性シート８Ｂにより互いに引っ張り合わせて、側面Ｔａの外方への膨らみを規制する構成となっている。
【００２８】
なお、第一の熱可塑性シート８Ａの両端部Ａ１、Ａ２と、第二の熱可塑性シート８Ｂの両端部Ｂ１、Ｂ２及び中間部Ｂ３は、高周波溶着装置により、筒形シート２の長さ方向に沿ってその全長にわたって溶着されている。
【００２９】
上記実施例に係る空気枕は、空気注入口４から空気袋１の内部に空気を注入して膨らませると、枕の中央部を形成する筒形シート２が、その内側面に設けた規制部材８により膨らみ形状が規制されて、角部が丸い三角筒Ｔの形状となり、三角形シート３、３で形成される枕の左右端面部が角丸直角三角形の形状をなした三角枕となる。つまり、横から見ると角丸直角三角形の形をした三角枕となる。
【００３０】
空気枕からなる三角枕は、身体の各部を載せても痛みを生じるおそれがなく、空気袋１に注入する空気量（空気圧）を加減することにより腰痛等の症状の軽重に応じて枕の硬さを最適に調整することができ、また、空気袋１に注入する空気量を身体の各部を載せても潰れない程度に高めて三角枕の形状を保持し、三角枕としての効果・効能を発揮することができる。
【００３１】
また、空気枕の本体をなす空気袋１は、熱可塑性シートからなる筒形シート２と三角形シート３、３とで形成されているが、枕の中央部を形成する筒形シート２の表面に、ミクロンオーダーのパイル５を起毛させたパイル起毛加工が施されているので、肌触りが良く、肌が直接触れてもべた付きを生ずることがないから、頭や顔、首、肩などを載せる筒形シート３の表面に別途タオルや布製カバー等を掛けなくとも快適に使用することができる。
【００３２】
また、空気袋１の内部には、該空気袋１を横から見て角丸直角三角形の形をした三角枕の形状に膨らませるための規制部材８が設けられているが、空気袋１を形成する筒形シート２と三角形シート３が不透明な熱可塑性シートからなるので、規制部材８が空気袋１の外部から透けて見えて空気枕の外観体裁が損なわれることもない。
【００３３】
また、空気枕は、空気袋１のみならず、その内部に設けた規制部材８も熱可塑性シートで形成されているから、空気袋１から空気を抜くと、扁平に潰れた状態となる。したがって、旅行先や出張先などに持参して健康・美容のためのエクササイズや整体治療等に使用したり、列車や飛行機などの座席で腰にかかる負担を軽減するクッションとして使用することができ、また、三角枕を使用した健康法・美容法を教授するセミナーにおいて、セミナーの参加者全員が使用する個数分の三角枕を準備・用意するための労力を著しく軽減することができる。
【符号の説明】
【００３４】
１…空気袋
２…筒形シート
Ｔ…筒形シートからなる三角筒
Ｔａ〜Ｔｃ…三角筒の三側面
３…三角形シート
３ａ…三角形シートの高さの辺
３ｂ…三角形シートの底辺
３ｃ…三角形シートの斜辺
４…空気注入口
５…パイル
６…軟質塩化ビニルチューブ
７…栓
８…規制部材
８Ａ…第一の熱可塑性シート
Ａ１、Ａ２…第一の熱可塑性シートの両端部
８Ｂ…第二の熱可塑性シート
Ｂ１、Ｂ２…第二の熱可塑性シートの両端部
Ｂ３…第二の熱可塑性シートの中間部
【図１】
0003192339.tif 000003
【図２】
0003192339.tif 000004